(57)【要約】【課題】防水性を確保しながらも１００Ｖ用機器と２００Ｖ用機器の両方に給電可能な防水コンセント装置を提供することにある。【解決手段】防水コンセント装置は、１００Ｖ用の栓刃挿入口１１ａ〜１１ｃおよび２００Ｖ用の栓刃挿入口１２ａ〜１２ｃが器体１０の一面１０ａに設けられたコンセント本体１と、コンセント本体１の器体１０の一面１０ａを露出孔２ａより露出させる形でコンセント本体１を支持する壁面取付用の取付枠２と、コンセント本体１および取付枠２を収納する収納部３ａを有し建物の壁面に取り付けられる防水ハウジング３とを備えている。防水ハウジング３は、取付枠２が固定される固定部４１を有しており、固定部４１には、取付枠２に支持されたコンセント本体１の一面１０ａを露出させる開口部４１ａが設けられている。【選択図】図１
2010086822.tif 000002
【特許請求の範囲】
【請求項１】
１００Ｖ用の栓刃挿入口および２００Ｖ用の栓刃挿入口が一面に設けられたコンセント本体と、コンセント本体の上記一面を露出孔より露出させる形でコンセント本体を支持する壁面取付用の取付枠と、コンセント本体および取付枠を収納する収納部を有し建物の壁面に取り付けられる防水ハウジングとを備え、
防水ハウジングは、取付枠が固定される固定部を有し、
固定部には、取付枠に支持されたコンセント本体の上記一面を露出させる開口部が設けられていることを特徴とする防水コンセント装置。
【請求項２】
１００Ｖ用の栓刃挿入口を有する第１の防水コンセント部と、２００Ｖ用の栓刃挿入口を有する第２の防水コンセント部と、建物の壁面に取り付けられる取付台部とを備え、
取付台部における壁面側とは反対側の面には、第１の防水コンセント部が１００Ｖ用の栓刃挿入口を下方に向ける形で取り付けられる第１の取付部と、第２の防水コンセント部が２００Ｖ用の栓刃挿入口を下方に向ける形で取り付けられる第２の取付部とが設けられていることを特徴とする防水コンセント装置。
【請求項３】
上記取付台部は、電線用の収納空間を有する箱状に形成されていることを特徴とする請求項２記載の防水コンセント装置。
【請求項４】
上記取付台部には、屋外に設置される露出配管用の挿入孔と、当該挿入孔を閉塞するとともに必要に応じて除去されるノックアウト部とが設けられていることを特徴とする請求項３記載の防水コンセント装置。
【発明の詳細な説明】
【技術分野】
【０００１】
本発明は、防水コンセント装置に関するものである。
【背景技術】
【０００２】
従来から、低電圧（例えば１００Ｖ）用の栓刃挿入口を器体の前面に有する低電圧用のコンセント装置（図示せず）や、高電圧（例えば２００Ｖ）用の栓刃挿入口を器体の前面に有する高電圧用のコンセント装置（図示せず）が提供されている。
【０００３】
これらコンセント装置は、例えば、ＪＩＳ  Ｃ  ８３７５に規定された大角形連用配線器具用の既成の取付枠（図示せず）を用いて施工面に取り付けられる。
【０００４】
近年、一般家庭においても、従来の１００Ｖ用機器に加え、電気温水器や電磁調理器など２００Ｖ用機器の利用が普及してきている。
【０００５】
そこで、１００Ｖ用機器と２００Ｖ用機器とを同時に使用可能とするために、１００Ｖ用機器と２００Ｖ用機器の両方に給電可能なコンセント装置が提案されている（例えば、特許文献１参照）。
【０００６】
上記特許文献１に示すコンセント装置では、単相３線を利用し、電圧側の２本の電線の電位差によって２００Ｖの電圧を得る一方で、電圧側の一方の電線と中性側の電線との間の電位差によって１００Ｖの電圧を得ている。また、上記特許文献１に示すコンセント装置の器体は、所謂３個モジュール寸法に形成され、１００Ｖ用の栓刃挿入口と２００Ｖ用の栓刃挿入口とが長手方向に並べて前面に設けられている。そして、コンセント装置は、上述した取付枠を利用して、建物の壁面に埋め込み設置される。
【特許文献１】特開２００５−３３９９７９号公報
【発明の開示】
【発明が解決しようとする課題】
【０００７】
しかしながら、上記特許文献１に示すものは、屋内での使用を想定したものであり、屋外での使用を想定した構造にはなっていない。そのため、上記特許文献１に示すものでは、防水性に問題があり、屋外での使用は難しかった。
【０００８】
本発明は上述の点に鑑みて為されたもので、防水性を確保しながらも１００Ｖ用機器と２００Ｖ用機器の両方に給電可能な防水コンセント装置を提供することにある。
【課題を解決するための手段】
【０００９】
上述の課題を解決するために、請求項１の発明では、１００Ｖ用の栓刃挿入口および２００Ｖ用の栓刃挿入口が一面に設けられたコンセント本体と、コンセント本体の上記一面を露出孔より露出させる形でコンセント本体を支持する壁面取付用の取付枠と、コンセント本体および取付枠を収納する収納部を有し建物の壁面に取り付けられる防水ハウジングとを備え、防水ハウジングは、取付枠が固定される固定部を有し、固定部には、取付枠に支持されたコンセント本体の上記一面を露出させる開口部が設けられていることを特徴とする。
【００１０】
この発明によれば、１００Ｖ用機器と２００Ｖ用機器の両方に給電することができる。また、コンセント本体を防水ハウジング内に収納しているから、防水性を確保することができる。さらに、屋内配線に使用されるコンセント本体および取付枠を利用することができるから、製造コストを低減することができる。
【００１１】
請求項２の発明では、１００Ｖ用の栓刃挿入口を有する第１の防水コンセント部と、２００Ｖ用の栓刃挿入口を有する第２の防水コンセント部と、建物の壁面に取り付けられる取付台部とを備え、取付台部における壁面側とは反対側の面には、第１の防水コンセント部が１００Ｖ用の栓刃挿入口を下方に向ける形で取り付けられる第１の取付部と、第２の防水コンセント部が２００Ｖ用の栓刃挿入口を下方に向ける形で取り付けられる第２の取付部とが設けられていることを特徴とする。
【００１２】
この発明によれば、１００Ｖ用機器と２００Ｖ用機器の両方に給電することができる。また、第１の防水コンセント部または第２の防水コンセント部として従来から提供されている１００Ｖ用の防水コンセント装置または２００Ｖ用の防水コンセント装置をそのまま利用しているから、防水性を確保することができる上に、製造コストを低減することができる。
【００１３】
請求項３の発明では、請求項２の発明において、上記取付台部は、電線用の収納空間を有する箱状に形成されていることを特徴とする。
【００１４】
この発明によれば、取付台部内で送り配線等が可能になるから、施工が容易になる。
【００１５】
請求項４の発明では、請求項３の発明において、上記取付台部には、屋外に設置される露出配管用の挿入孔と、当該挿入孔を閉塞するとともに必要に応じて除去されるノックアウト部とが設けられていることを特徴とする。
【００１６】
この発明によれば、必要に応じて露出配管を通じて電線等を引き込むことができる。
【発明の効果】
【００１７】
本発明は、防水性を確保しながらも１００Ｖ用機器と２００Ｖ用機器の両方に給電することができるという効果を奏する。
【発明を実施するための最良の形態】
【００１８】
（実施形態１）
本実施形態の防水コンセント装置（以下、単に「防水コンセント」という）Ｐは、図１およびに図２示すように、コンセント本体１と、取付枠２と、防水ハウジング３とを備えている。
【００１９】
本実施形態の防水コンセント装置Ｐは、例えば、図２に示すように、建物（例えば住宅）の壁面（外壁面）Ｗに埋め込み設置される埋め込みボックス１００を利用して設置される。埋め込みボックス１００は、一面（図２における右面）が開口した直方体の箱状のボックス本体１０１を有している。ボックス本体１０１の内面の一面側には、一対の取付片１０２，１０２が互いに対向する形に延設されている。各取付片１０２には、ボックスねじＳ３が螺着されるねじ孔１０３が形成されている。この埋め込みボックス１００には、商用交流電源の単相三線式の電源線２００が引き込まれている。電源線２００は、２本の絶縁被覆電線２０１を１本の絶縁チューブ内に配置してなる２芯のものである。１００Ｖ用の電源線２００の２本の絶縁被覆電線の電位は１００Ｖまたは０Ｖであり、２００Ｖ用の電源線２００の２本の絶縁被覆電線の電位は１００Ｖまたは−１００Ｖである。
【００２０】
コンセント本体１は、絶縁性を有する樹脂材料により直方体状に形成された器体１０を備えている。器体１０は、所謂３個モジュール寸法に形成されている。この器体１０の厚み方向の一面（図２における下面）１０ａには、第１のプラグ挿入部１１と、第２のプラグ挿入部１２とが設けられている。第１のプラグ挿入部１１と第２のプラグ挿入部１２は、器体１０の一面１０ａの長手方向に沿って並んでいる。
【００２１】
第１のプラグ挿入部１１は、１００Ｖ用のプラグの栓刃が挿入される３個１組の栓刃挿入口（１００Ｖ用の栓刃挿入口）１１ａ〜１１ｃからなる低電圧用プラグ挿入部である。第２のプラグ挿入部１２は、２００Ｖ用のプラグの栓刃が挿入される３個１組の栓刃挿入口（２００Ｖ用の栓刃挿入口）１２ａ〜１２ｃからなる高電圧用プラグ挿入部である。これら第１のプラグ挿入部１１および第２のプラグ挿入部１２の構成は、例えばＪＩＳ  Ｃ８３０３−１９９３などの規定に準じるものであり、従来周知のものであるから詳細な説明は省略する。
【００２２】
器体１０の厚み方向の他面（図２における上面）には、電源線２００の絶縁被覆電線２０１を器体１０内に挿入するための電線挿入部（図示せず）が２つ形成されている。一方の電線挿入部は、１００Ｖの絶縁被覆電線２０１用の電線挿入孔と０Ｖの絶縁被覆電線２０１用の電線挿入孔の２つの電線挿入孔で構成された１００Ｖ用のものである。他方の電線挿入部は、１００Ｖの絶縁被覆電線２０１用の電線挿入孔と、−１００Ｖの絶縁被覆電線２０１用の電線挿入孔の２つの電線挿入孔で構成された２００Ｖ用のものである。また、器体１０の厚み方向の他面には、接地線（図示せず）が挿入される接地線挿入孔（図示せず）が設けられている。
【００２３】
この器体１０には、刃受部（図示せず）と端子部（図示せず）を有する電気接続部（図示せず）が収納されている。刃受部は、１００Ｖ用の栓刃挿入口１１ａ〜１１ｃより挿入された栓刃それぞれを接触保持する３個１組の第１の刃受と、２００Ｖ用の栓刃挿入口１２ａ〜１２ｃより挿入された栓刃それぞれを接触保持する３個１組の第２の刃受とを有している。端子部は、一方の電線挿入部の２つの電線挿入孔および接地線挿入孔それぞれに対応する３個１組の第１の端子と、他方の電線挿入部の２つの電線挿入孔および接地線挿入孔それぞれに対応する３個１組の第２の端子とを有している。そして、３個１組の第１の刃受それぞれは、３個１組の第１の端子それぞれに電気的に接続され、３個１組の第２の刃受それぞれは、３個１組の第２の端子それぞれに電気的に接続されている。このような電気接続部は、従来周知のものを採用することができるから詳細な説明は省略する。
【００２４】
取付枠２は、コンセント本体１を壁面Ｗなどの施工面に設置するために使用される。このような取付枠２は、例えば、ＪＩＳ  Ｃ  ８３７５に規定に準じた寸法および形状に形成されている（図１，２では簡略化して図示している）。取付枠２は、３個モジュール寸法に形成された露出孔２ａを中央部に有している。また、取付枠２における露出孔２ａの長手方向の両側それぞれには、ねじ孔２ｂが形成されている。ねじ孔２ｂは、取付枠２を造営面に取り付けるための取付ねじＳ１に対応する形状である。なお、このような取付枠２は従来周知のものを採用することができるから詳細な説明は省略する。
【００２５】
防水ハウジング３は、壁面Ｗに取り付けるためのベース４と、ベース４との間に収納部３ａを形成するためのカバー５とで構成されている。収納部３ａはコンセント本体１および取付枠２を収納するためのものである。なお、ベース４とカバー５はいずれも絶縁性を有する樹脂よりなる樹脂成形品である。
【００２６】
ベース４は、矩形板状の台部４０を備えている。台部４０の短手方向（図２における上下方向）の両側それぞれには、ボックスねじＳ３用の複数の挿通孔４０ａが設けられている。挿通孔４０ａは、台部４０の長手方向に沿って等間隔で３つ設けられている。また、挿通孔４０ａは、台部４０における壁面Ｗ側の面（後面）よりも壁面Ｗ側とは反対側の面（前面）側が拡開した形に形成されている。さらに、台部４０の短手方向の中央部には、電源線２００および上記の接地線を収納部３ａ内に引き込むための通線孔４０ｂが形成されている。この通線孔４０ｂは、長孔状に形成されており、その長手方向は、台部４０の長手方向に沿った方向である。加えて、台部４０の長手方向の両端側それぞれには、ねじ孔４０ｃが形成されている。ねじ孔４０ｃは、カバー５をベース４に固定するための固定ねじＳ２に対応する形状である。
【００２７】
この台部４０の前面における短手方向の一端側（図２における下端側）には、矩形板状の固定部４１が垂設されている。固定部４１の中央部には、矩形状の開口部４１ａが形成されている。開口部４１ａは、収納部３ａ内に収納されたコンセント本体１の一面１０ａを防水ハウジング３の外部に臨ませるためのものであり、取付枠２の露出孔２ａと同じ大きさに形成されている。また、固定部４１における開口部４１ａの長手方向の両側それぞれには、取付ねじＳ１用の挿通孔４１ｂが形成されている。
【００２８】
さらに、台部４０の前面には、カバー５をベース４に対して位置決めするための位置決めリブ４２が形成されている。リブ４２は、台部４０の短手方向の一端側が開放されたコ字形に形成されている。防水ハウジング３では、リブ４２の外側面を、カバー５の内側面に当接させることで、カバー５がベース４に対して位置決めされる。
【００２９】
カバー５は、台部４０の長手方向において互いに対向する一対の側板部５０と、当該一対の側板部５０同士を連結する連結部５１とを一体に備えている。ここで、台部４０の長手方向に直交する面内（図２における紙面内）における側板部５０の外周形状は、中心角が９０度の扇形である。連結部５１は、扇形の側板部５０の弧の部分で一対の側板部５０同士を連結している。連結部５１の内面側における一対の側板部５０それぞれの近傍には、円筒状のボス５２がそれぞれ突設されている。ボス５２の内部は、連通部５１のねじ挿入孔５１ａを通じて外部と連通している。また、ボス５２の底面には固定ねじＳ２のねじ部を外方に突出させる挿通孔（図示せず）が形成されている。
【００３０】
次に本実施形態の防水コンセントＰの組立方法について説明する。まず、コンセント本体１を取付枠２に取り付ける。次に、コンセント本体１の一面１０ａをベース４の固定部４１の開口部４１ａより外部に臨ませる。その後に、取付ねじＳ１のねじ部を挿通孔４１ｂを通して取付枠２のねじ孔２ｂに螺着する。これによって、コンセント本体１および取付枠２を固定部４１に固定する。最後に、固定ねじＳ２をねじ挿入孔５１ａを介してボス５２内に挿入し、そのねじ部を台部４０のねじ孔４０ｃに螺着することで、カバー５がベース４に固定される。これによって、防水コンセントＰが完成する。
【００３１】
この防水コンセントＰでは、ベース４の台部４０および固定部４１と、カバー５の一対の側板部５０および連結部５１とで囲まれる空間部に、コンセント本体１および取付枠２が収納される。よって、前記空間部が収納部３ａとなる。
【００３２】
ところで、防水コンセントＰを壁面Ｗに設置する場合には、カバー５をベース４に固定する前に、ベース４を壁面Ｗに設置する作業を行う。当該作業を行うにあたっては、まず、埋め込みボックス１００内の電源線２００および接地線をベース４の通線孔４０ｃに通し、これらを埋め込みボックス１００外へ引き出す。そして、電源線２００および接地線をコンセント本体１に接続する。その後に、ボックスねじＳ３のねじ部をベース４の挿通孔４０ｂを通して埋め込みボックス１００のねじ孔１０３に螺着し、これによって、ベース４を壁面Ｗに対して固定する。この後に、ベース４にカバー５を固定することで、図２に示すように、防水コンセントＰが壁面Ｗに設置される。
【００３３】
以上述べたように、本実施形態の防水コンセントＰは、１００Ｖ用の栓刃挿入口１１および２００Ｖ用の栓刃挿入口１２が一面１０ａに設けられたコンセント本体１と、コンセント本体１の一面１０ａを露出孔２ａより露出させる形でコンセント本体１を支持する取付枠２と、コンセント本体１を収納する収納部３ａを有し建物の壁面Ｗに取り付けられる防水ハウジング３とを備えている。そして、防水ハウジング３は、取付枠２が固定される固定部４１を有しており、固定部４１には、取付枠２に支持されたコンセント本体１の一面１０ａを露出させる開口部４１ａが設けられている。
【００３４】
したがって、本実施形態の防水コンセントＰによれば、１００Ｖ用機器と２００Ｖ用機器の両方に給電することができる。また、コンセント本体１を防水ハウジング３内に収納しているから、防水性を確保することができる。さらに、屋内配線に使用されるコンセント本体１および取付枠２を利用することができるから、製造コストを低減することができる。
【００３５】
以上述べた本実施形態の防水コンセントＰは、例えば、図３に示すように、電気自動車Ｃの充電などに使用される。ここで、電気自動車とは、電池（二次電池）と電動機（モータ）が搭載された自動車をいい、これには、内燃機関（ガソリンエンジン）と電動機とが搭載された所謂ハイブリッドカーや、プラグインハイブリッドカーも含まれる。
【００３６】
電気自動車Ｃには給電用のインレットが設けられている。電気自動車のインレットは、電気自動車Ｃに搭載される電池の規格等に応じて好適な形状や、構造が採用される。また、電気自動車Ｃに、交流電力を直流電力に変換して上記電池を充電する充電装置（図示せず）が搭載されている場合、インレットは、交流電源（例えば、周波数が５０Ｈｚあるいは６０ＨｚのＡＣ２００Ｖの商用電源）に接続可能な形に構成されている。
【００３７】
このような電気自動車Ｃの上記電池を充電するにあたっては、電気自動車充電用コードセット（以下、「コードセット」と略称する）Ｓが利用される。
【００３８】
コードセットＳは、交流電源に対応するアウトレットと電気自動車のインレットとを接続するために使用される電源コードセットである。図３に示すコードセットＳは、プラグ３００が設けられたコード（電源側コード）３１０と、自動車Ｃのインレットに接続されるコネクタ３２０が設けられたコード（負荷側コード）３３０と、電源側コード３１０と負荷側コード３３０とを連結し漏電発生時にコード３１０，３３０間の電路を遮断する漏電遮断装置３４０とを備えている。
【００３９】
なお、図３に示す例はあくまでも防水コンセントＰの一使用例であって、防水コンセントＰの用途は電気自動車Ｃの充電に限られるものではなく、例えば、庭に設置された庭園灯への給電など、種々の用途に使用することができる。
【００４０】
（実施形態２）
本実施形態の防水コンセント装置は、図４に示すように、取付台部６と、第１の防水コンセント部７と、第２の防水コンセント部８とを備えている。
【００４１】
第１の防水コンセント部７は、建物（住宅）の壁面（外壁面）に取り付けるための矩形板状の台部７０を備えている。台部７０の長手方向の両端側それぞれには、取付ねじ（図示せず）が挿通されるねじ挿通孔（図示せず）が形成されている。台部７０における壁面側とは反対側の面（前面）には器体７１が取り付けられている。器体７１はねじ止めなどを利用して台部７０に取り付けられる。なお、台部７０および器体７１はいずれも絶縁性を有する樹脂材料により形成されている。
【００４２】
器体７１は、断面が中心角が９０度の扇形の箱状に形成されている。器体７１は、扇形の一方の半径に対応する一面７１ａ側を台部７０の長手方向の一端側（図５（ａ）における下端側）に向け、かつ扇形の他方の半径に対応する他面（図５（ｂ）における下面）を台部７０側に向けた状態で、台部７０の前面の長手方向の他端側（図５（ａ）における上端側）に取り付けられている。
【００４３】
器体７１の一面７１ａ側には、図４および図５（ｂ）に示すように、プラグ挿入部７２が形成されている。このプラグ挿入部７２は、１００Ｖ用のプラグの栓刃が挿入される３個１組の栓刃挿入口（１００Ｖ用の栓刃挿入口）７２ａ〜７２ｃからなる低電圧用プラグ挿入部である。器体７１の上記他面には、電源線２００の絶縁被覆電線２０１を器体１０内に挿入するための電線挿入部（図示せず）と、接地線が挿入される接地線挿入孔（図示せず）とが形成されている。電線挿入部は、１００Ｖの絶縁被覆電線２０１用の電線挿入孔と０Ｖの絶縁被覆電線２０１用の電線挿入孔の２つの電線挿入孔で構成された１００Ｖ用のものである。また、台部７０には、電源線２００および接地線を器体７１に接続するための開孔部（図示せず）が設けられている。
【００４４】
この器体７１には、刃受部（図示せず）と端子部（図示せず）を有する電気接続部（図示せず）が収納されている。刃受部は、１００Ｖ用の栓刃挿入口７２ａ〜７２ｃより挿入された栓刃それぞれを接触保持する３個１組の１００Ｖ用の刃受を有している。端子部は、電線挿入部の２つの電線挿入孔および接地線挿入孔それぞれに対応する３個１組の１００Ｖ用の端子を有している。そして、３個１組の１００Ｖ用の刃受それぞれは、３個１組の１００Ｖ用の端子それぞれに電気的に接続されている。このような電気接続部は、従来周知のものを採用することができるから詳細な説明は省略する。
【００４５】
第２の防水コンセント部８は、第１の防水コンセント部７と同様に、台部８０と器体８１を備えている。台部８０は第１の防水コンセント部７の台部７０と同様の外形形状であり、器体８１は第１の防水コンセント部８と同様の外形形状である。
【００４６】
ここで、第１の防水コンセント部７の器体７１とは異なり、第２の防水コンセント部８の器体８１の一面（図５（ｂ）における紙面手前側の面）８１ａには、１００Ｖ用ではなく２００Ｖ用のプラグ挿入部８２が形成されている。すなわち、プラグ挿入部８２は、２００Ｖ用のプラグの栓刃が挿入される３個１組の栓刃挿入口（２００Ｖ用の栓刃挿入口）８２ａ〜８２ｃからなる高電圧用プラグ挿入部である。一方、器体８１の他面（図５（ｂ）における下面）には、２００Ｖ用の電線挿入部（図示せず）と、接地線が挿入される接地線挿入孔（図示せず）とが形成されている。２００Ｖ用の電線挿入部は、１００Ｖの絶縁被覆電線２０１用の電線挿入孔と−１００Ｖの絶縁被覆電線２０１用の電線挿入孔の２つにより構成されている。
【００４７】
この器体８１には、刃受部（図示せず）と端子部（図示せず）を有する電気接続部（図示せず）が収納されている。刃受部は、２００Ｖ用の栓刃挿入口８２ａ〜８２ｃより挿入された栓刃それぞれを接触保持する３個１組の３００Ｖ用の刃受を有している。端子部は、電線挿入部の２つの電線挿入孔および接地線挿入孔それぞれに対応する３個１組の２００Ｖ用の端子を有している。そして、３個１組の２００Ｖ用の刃受それぞれは、３個１組の２００Ｖ用の端子それぞれに電気的に接続されている。このような電気接続部は、従来周知のものを採用することができるから詳細な説明は省略する。
【００４８】
すなわち、第１の防水コンセント部７は、１００Ｖ用の防水コンセントであり、第２の防水コンセント部８は、２００Ｖ用の防水コンセントである。なお、各防水コンセント部７，８のプラグ挿入部７２，８２の構成は、例えばＪＩＳ  Ｃ８３０３−１９９３などの規定に準じるものであり、従来周知のものであるから詳細な説明は省略する。
【００４９】
取付台部６は、図４および図５に示すように中空の矩形箱状に形成されている。取付台部６において、短手方向（図５（ａ）の上下方向）の長さは、台部７０，８０の長手方向の長さと同じ長さであり、長手方向（図５（ａ）の左右方向）の長さは、台部７０，８０の短手方向の長さの２倍の長さである。
【００５０】
取付台部６は、上述したようなボックス１００を利用して壁面に取り付けることが可能に構成されている。すなわち、取付台部６における壁面側の面（後面）には、ボックスねじＳ３用の複数の挿通孔（図示せず）が設けられている。また、取付台部６の後面には、ボックス１００内に引き出された電源線２００および接地線を取付台部６内に引き込むための開孔部（図示せず）が形成されている。したがって、取付台部６の内部空間は、電線（電源線２００および接地線）用の収納空間として利用される。
【００５１】
取付台部６の前面（壁面側とは反対側の面）の長手方向の両側それぞれには、防水コンセント用の取付部６０が設けられている。以下の説明では、取付部６０を区別するために必要に応じて、第１の防水コンセント部７用の取付部（図４における左側の取付部）６０を符号６０Ａで、第２の防水コンセント部８用の取付部（図４における右側の取付部）６０を符号６０Ｂでそれぞれ表す。
【００５２】
各取付部６０Ａ，６０Ｂは、一対のねじ孔６ａ，６ａを有している。一対のねじ孔６ａは、取付台部６の短手方向において離間している。このねじ孔６ａは、上記取付ねじに対応する形に形成されている。よって、防水コンセント部７，８の台部７０，８０のねじ挿通孔を挿通した上記取付ねじをねじ孔６ａに螺着することで、防水コンセント部７，８を取付台部６に取り付けることが可能である。このとき、各防水コンセント部７，８はプラグ挿入部７２，８２を下方に向ける形で取付台部６に取り付けられる。
【００５３】
したがって、取付台部６は、第１の防水コンセント部７が１００Ｖ用の栓刃挿入口７２ａ〜７２ｃを下方に向ける形で取り付けられる第１の取付部６０Ａと、第２の防水コンセント部８が２００Ｖ用の栓刃挿入口８２ａ〜８２ｃを下方に向ける形で取り付けられる第２の取付部６０Ｂとを有している。そのため、取付台部６の前面側には、第１および第２の防水コンセント部７，８が１つずつ、取付台部６の長手方向に並ぶ形で取り付けられることになる。
【００５４】
取付台部６の前面における一対のねじ孔６ａの中間部には、通線孔６ｂが形成されている。通線孔６ｂは、取付台部６内に引き込んだ電源線２００および接地線を各防水コンセント部７，８に接続するために使用される。また、取付台部６の前面には、後面に設けられたボックスねじＳ３用の挿通孔それぞれに前方からボックスねじＳ３を挿通させるための孔部６ｃが設けられている。
【００５５】
ところで、取付台部６の側面（本実施形態では下面）には、必要に応じて除去される複数（図示例では３つ）のノックアウト部６ｄが設けられている。複数のノックアウト部６ｄは、取付台部６の下面の長手方向に沿って所定間隔で並んでいる。また、ノックアウト部６ｄの周囲には、ミシン目６ｅが形成されている。ミシン目６ｅは、ノックアウト部６ｄの除去を容易にするためのものである。ノックアウト部６ｄを除去した際には、取付台部６の下面に、円形状（真円形状）の挿入孔が開孔するようになっている。当該挿入孔は、屋外に設置される露出配管を取付台部６内に挿入するために使用される。
【００５６】
以上述べたように本実施形態の防水コンセントＰは、１００Ｖ用の栓刃挿入口７２ａ〜７２ｃを有する第１の防水コンセント部７と、２００Ｖ用の栓刃挿入口８２ａ〜８２ｃを有する第２の防水コンセント部８と、建物の壁面に取り付けられる取付台部６とを備えている。そして、取付台部６における壁面側とは反対側の面（図５（ｂ）における上面）には、第１の防水コンセント部７が１００Ｖ用の栓刃挿入口７２ａ〜７２ｃを下方に向ける形で取り付けられる第１の取付部６０Ａと、第２の防水コンセント部８が２００Ｖ用の栓刃挿入口８２ａ〜８２ｃを下方に向ける形で取り付けられる第２の取付部６０Ｂとが設けられている。
【００５７】
よって、本実施形態の防水コンセントＰによれば、１００Ｖ用機器と２００Ｖ用機器の両方に給電することができる。また、第１の防水コンセント部７または第２の防水コンセント部８として従来から提供されている１００Ｖ用の防水コンセント装置または２００Ｖ用の防水コンセント装置をそのまま利用しているから、防水性を確保することができる上に、製造コストを低減することができる。さらに、取付台部６は、電線用の収納空間を有する箱状に形成されているため、取付台部６内で送り配線等が可能になるから、施工が容易になる。その上、取付台部６には、屋外に設置される露出配管用の挿入孔と、当該挿入孔を閉塞するとともに必要に応じて除去されるノックアウト部６ｄとが設けられている。よって、必要に応じて露出配管を通じて電線等を引き込むことができる。
【００５８】
ところで、取付台部６には、第１、第２の防水コンセント部７，８に加えてその他の電気機器を取り付けることができるようにしてもよい。
【００５９】
例えば、図６に示す取付台部６は、図４に示すものと同様の中空の矩形箱状に形成されているが、長手方向（図６（ａ）の左右方向）の長さは、台部７０，８０の短手方向の長さの３倍の長さである。この図６に示す取付台部６は、長手方向の一端側（図６（ｂ）における左端側）から順番に、３つの取付部６０を有している。以下の説明では、３つの取付部６０を区別するために必要に応じて符号６０Ａ〜６０Ｃで表す。
【００６０】
図６に示す取付台部６では、取付部６０Ａが第１の防水コンセント部７の取付に、取付部６０Ｂが第２の防水コンセント部８の取付に使用される。また、取付部６０Ｃは、漏電保護装置９の取り付けに使用される。なお、取付部６０Ｃについては、他の取付部６０Ａ，６０Ｂと同様に、一対のねじ孔６ａを有しており、この取付部６０Ｃの一対のねじ孔６ａ間の中間部位にも通線孔６ｂが形成されている。
【００６１】
漏電保護装置９は、図７（ａ），（ｂ）に示すように、断面形状が中心角が９０度の略扇形の器体９０を備えている。この器体９０における取付台部６との対向面である底面（図７（ａ）における下面）には、電源線２００用の電源側電線挿入孔（図示せず）と、送り配線用の負荷側電線挿入孔（図示せず）とが設けられている。そして、器体９０内には、電源側電線挿入孔より挿入された電線を接触保持する電源側端子（図示せず）と、負荷側電線挿入孔より挿入された電線を接触保持する負荷側端子（図示せず）とを有し、漏電発生時に電源側端子と負荷側端子との間の電路を遮断する漏電遮断機構（図示せず）が収納されている。このような漏電遮断機構については従来周知であるから詳細な説明は省略する。
【００６２】
図７（ａ）中の９１は手動操作用の操作レバーであり、上述の漏電遮断機構によって電源側端子と負荷側端子との間の電路が遮断された際には、投入位置から開放位置に移動させられる。よって、操作レバー９１を開放位置から投入位置に移動させることで、電源側端子と負荷側端子との間の通電を開始させることができる。このような操作レバー９１は、器体９０における取付台部６側と反対側の面（前面）に形成された凹所９０ａの底面の開口部９０ｂより外方に突出している。そのため、器体９０には、凹所９０ａを開閉可能なカバー９２が設けられており、これによって、開口部９０ｂより器体９０内に雨水等が入り込んでしまうことを防止している。
【００６３】
このような漏電保護装置９を用いる場合には、取付台部６内に引き込んだ電源線２００を、漏電保護装置９を介して第１の防水コンセント部７あるいは第２の防水コンセント部８に接続すればよい。このようにすれば、第１の防水コンセント部７や第２の防水コンセント部８において漏電が発生した際に、給電を停止させることが可能になる。
【００６４】
上述した実施形態１，２の防水コンセントＰの構成はあくまでも本発明の一実施形態であって、本発明の技術的範囲を上記の例に限定する趣旨ではなく、本発明の趣旨を逸脱しない程度に変更することができる。
【図面の簡単な説明】
【００６５】
【図１】実施形態１の防水コンセント装置の分解斜視図である。
【図２】同上の防水コンセント装置の断面図である。
【図３】同上の防水コンセント装置の使用例の説明図である。
【図４】実施形態２の防水コンセント装置の分解斜視図である。
【図５】同上の防水コンセント装置を示し、（ａ）は正面図、（ｂ）は下面図である。
【図６】同上の防水コンセント装置の他例を示し、（ａ）は正面図、（ｂ）は下面図である。
【図７】同上に使用する漏電保護装置を示し、（ａ）はカバー開いた状態の斜視図、（ｂ）はカバーを閉じた状態の斜視図である。
【符号の説明】
【００６６】
１    コンセント本体
２    取付枠
２ａ  露出孔
３    防水ハウジング
６    取付台部
６ｄ  ノックアウト部
７    第１の防水コンセント部
８    第２の防水コンセント部
１０    器体
１０ａ  一面
１１ａ〜１１ｃ，７２ａ〜７２ｃ  栓刃挿入口（１００Ｖ用の栓刃挿入口）
１２ａ〜１２ｃ，８２ａ〜８２ｃ  栓刃挿入口（２００Ｖ用の栓刃挿入口）
４１    固定部
４１ａ  開口部
６０（６０Ａ，６０Ｂ）  取付部（第１の取付部，第２の取付部）
【図１】
2010086822.tif 000003
【図２】
2010086822.tif 000004
【図３】
2010086822.tif 000005
【図４】
2010086822.tif 000006
【図５】
2010086822.tif 000007
【図６】
2010086822.tif 000008
【図７】
2010086822.tif 000009